(57)【要約】【課題】  使用感が良好なリュックサックの提供を目的とする。【解決手段】  本体と、本体に取付けられた一対の背負いベルト体からなって生地で形成された背負いベルトとを備え、一方の第一背負いベルト体は上ベルト部と下ベルト部とを備え、上ベルト部は使用者の一方の肩部側から胸骨側へ向けて斜め下方に延長されるよう本体に取付けられ、下ベルト部は一方の腹部側から胸骨側へ向けて斜め上方に延長されるよう本体に取付けられ、他方の第二背負いベルト体は上ベルト部と下ベルト部とを備え、上ベルト部は使用者の他方の肩部側から胸骨側へ向けて斜め下方に延長されよう本体に取付けられ、下ベルト部は他方の腹部側から胸骨側へ向けて斜め上方に延長されるよう本体に取付けられ、第一背負いベルト体における上ベルト部と下ベルト部の連結部分と、第二背負いベルト体における上ベルト部と下ベルト部の連結部分とが、着脱手段によって幅方向に位置調節自在とされるとともに着脱自在とされているリュックサック。【選択図】  図２
2013059548.tif 000002
【特許請求の範囲】
【請求項１】
収容物を収容するための本体と、該本体に取付けられた一対の背負いベルト体からなって生地で形成された背負いベルトとを備え、
一方の第一背負いベルト体は上ベルト部と下ベルト部とを備え、該上ベルト部は使用者による本体の装着状態において該使用者の一方の肩部側から胸骨側へ向けて斜め下方に延長されよう本体に取付けられ、該下ベルト部は一方の腹部側から胸骨側へ向けて斜め上方に延長されるよう本体に取付けられ、
他方の第二背負いベルト体は上ベルト部と下ベルト部とを備え、該上ベルト部は使用者による本体の装着状態において該使用者の他方の肩部側から胸骨側へ向けて斜め下方に延長されるよう本体に取付けられ、該下ベルト部は他方の腹部側から胸骨側へ向けて斜め上方に延長されるよう本体に取付けられ、
前記第一背負いベルト体における上ベルト部と下ベルト部の連結部分と、前記第二背負いベルト体における上ベルト部と下ベルト部の連結部分とが、着脱手段によって幅方向に位置調節自在とされるとともに着脱自在とされていることを特徴とするリュックサック。
【請求項２】
着脱手段は、第一背負いベルト体と第二背負いベルト体の上ベルト部の下部を前後に重ねた状態を保持して該重ね量を着脱手段によって調節可能に構成されていることを特徴とする請求項１記載のリュックサック。
【請求項３】
第一背負いベルト体の上ベルト部と下ベルト部および第二背負いベルト体の上ベルト部と下ベルト部はそれぞれ別体であって、しかも各背負いベルト体の上ベルト部と下ベルト部は距離調節部によって接近離間自在とされるとともに、一体化されていることを特徴とする請求項１または請求項２記載のリュックサック。
【請求項４】
第一背負いベルト体および第二背負いベルト体のそれぞれの上ベルト部と下ベルト部は、下ベルト部に比べて上ベルト部の丈方向長さが長く設定されていることを特徴とする請求項３に記載のリュックサック。
【発明の詳細な説明】
【技術分野】
【０００１】
本発明は、リュックサックに関し、特にサイクリストが自転車に搭乗する際に適したリュックサックに関する。
【背景技術】
【０００２】
一般にリュックサックは、収容物を収容するための本体と、本体に取付けられた一対のベルト体からなる背負いベルトとを備えている。このようなリュックサックとして、例えば下記特許文献１が提案されている。
【０００３】
しかしながら、背負いベルトを構成するベルト体の上端部は本体の上端部に取付けられ、ベルト体の下端部は本体の下端部に取付けられ、各ベルト体は全体としてほぼ垂直方向に沿っている。このため、使用者がリュックサックを背負った際に、ベルト体どうしが幅方向に容易に離反して、肩から外れ易い。そこで、特許文献２のリュックサックでは、ベルト体どうしの離反間隔を保持したり、調節したりすることのできる調節部を備えている。
【先行技術文献】
【特許文献】
【０００４】
【特許文献１】特開２００２−３３６０４７号公報
【特許文献２】特開２０００−２１０１２２号公報
【発明の概要】
【発明が解決しようとする課題】
【０００５】
上記従来のリュックサックは調節部を備えているが、各ベルト体は全体としてほぼ垂直方向に沿っている。このため、使用者の体格や姿勢に応じて調節部でベルト体どうしの離反間隔を調節するとベルト体が捩れるように変形するため、背負いベルトが使用者にアジャストせず、良好な使用感が得られない。
【０００６】
そこで本発明は上記課題に鑑み、使用感が良好なリュックサックの提供を目的とする。
【課題を解決するための手段】
【０００７】
本発明のリュックサックは、収容物を収容するための本体と、該本体に取付けられた一対の背負いベルト体からなって生地で形成された背負いベルトとを備え、一方の第一背負いベルト体は上ベルト部と下ベルト部とを備え、該上ベルト部は使用者による本体の装着状態において該使用者の一方の肩部側から胸骨側へ向けて斜め下方に延長されるよう本体に取付けられ、該下ベルト部は一方の腹部側から胸骨側へ向けて斜め上方に延長されるよう本体に取付けられ、他方の第二背負いベルト体は上ベルト部と下ベルト部とを備え、該上ベルト部は使用者による本体の装着状態において該使用者の他方の肩部側から胸骨側へ向けて斜め下方に延長されよう本体に取付けられ、該下ベルト部は他方の腹部側から胸骨側へ向けて斜め上方に延長されるよう本体に取付けられ、前記第一背負いベルト体における上ベルト部と下ベルト部の連結部分と、前記第二背負いベルト体における上ベルト部と下ベルト部の連結部分とが、着脱手段によって幅方向に位置調節自在とされるとともに着脱自在とされていることを特徴としている。
【０００８】
上記構成において、第一背負いベルト体および第二背負いベルト体の各上ベルト部は使用者の肩部から胸骨側へ向けて斜めに延長され、第一背負いベルト体および第二ベルト体各下ベルト部は使用者の腹部側から胸骨側へ向けて斜め上方に延長されて、上ベルト部と下ベルト部のそれぞれの連結部分で取付けられているから、使用者の体格等に応じて、第一背負いベルト体における上ベルト部と下ベルト部の連結部分と第二背負いベルト体における上ベルト部と下ベルト部の連結部分とを着脱手段によって幅方向に位置調節しても、第一ベルト背負いベルト体および第二背負いベルト体が捩れた状態となるのが抑制される。
【０００９】
本発明のリュックサックでは、着脱手段は、第一背負いベルト体と第二背負いベルト体の上ベルト部の下部を前後に重ねた状態を保持して該重ね量を着脱手段によって調節可能に構成されていることが好ましい。
【００１０】
上記構成において、第一背負いベルト体と第二背負いベルト体の上ベルト部の下部どうしは、着脱手段によって、重ねられた状態で幅方向に離間することなく相対的に幅方向で位置ずれされる。
【００１１】
本発明のリュックサックでは、第一背負いベルト体の上ベルト部と下ベルト部および第二背負いベルト体の上ベルト部と下ベルト部はそれぞれ別体であって、しかも各背負いベルト体の上ベルト部と下ベルト部は距離調節部によって接近離間自在とされるとともに、一体化されている構成を採用することができる。
【００１２】
上記構成において、距離調節部によって、丈方向で第一背負いベルト体および第二背負いベルト体の長さ調節をする。
【００１３】
本発明のリュックサックでは、第一背負いベルト体および第二背負いベルト体のそれぞれの上ベルト部と下ベルト部は、下ベルト部に比べて上ベルト部の丈方向長さが長く設定されている構成を採用することができる。
【００１４】
上記構成のように、下ベルト部に比べて上ベルト部の丈方向長さが長く設定されていれば、使用者にとって着脱手段は操作し易い位置にある。
【発明の効果】
【００１５】
本発明のリュックサックでは、第一背負いベルト体および第二背負いベルト体の各上ベルト部は使用者の肩部から胸骨側へ向けて斜めに延長され、第一背負いベルト体および第二ベルト体各下ベルト部は使用者の腹部側から胸骨側へ向けて斜め上方に延長されて、上ベルト部と下ベルト部のそれぞれの連結部分で取付けられているから、使用者の体格等に応じて、第一背負いベルト体における上ベルト部と下ベルト部の連結部分と第二背負いベルト体における上ベルト部と下ベルト部の連結部分とを着脱手段によって幅方向に位置調節しても、第一ベルト背負いベルト体および第二背負いベルト体が捩れた状態となるのが抑制され、背負いベルト体が使用者にアジャストして、良好な使用感が得られる。
【図面の簡単な説明】
【００１６】
【図１】本発明の一実施形態を表すリュックサックの背面側からの斜視図である。
【図２】同リュックサックの正面図である。
【図３】同リュックサックの第一上ベルト部および第二上ベルト部の導出量を調節する調節手段を表す図であり（ａ）は後方からの斜視図、（ｂ）は断面図である。
【図４】同バックル装置を表す図であり、（ａ）は上方からの斜視図、（ｂ）は断面図である。
【発明を実施するための形態】
【００１７】
以下、図１ないし図４に基づいて、本発明の一実施形態に係るリュックサックを説明する。図１および図２に示すように、リュックサック１は、収容物を収容するための本体２と、本体２に取付けられた第一背負いベルト体３および第二背負いベルト体４からなって、軟質の生地で形成された背負いベルト５とを備えている。
【００１８】
本体２は、前面部２Ａと後面部２Ｂと両側の側面部２Ｃ，２Ｄとから袋状に形成されている。そして、左右両側に縫着したスライドファスナＳ１，Ｓ２によって、両側の側面部２Ｃ，２Ｄから本体２の内部に収容物を収容することができるよう構成されている。これらのスライドファスナＳ１，Ｓ２は、本体２を側面視した場合、上下方向途中部が後方へ向けて凸となるよう湾曲して、本体２の上下方向を長手方向として取付けられている。なお、図示しないが、本体２の前面部２Ａには、装着感を良好にするための緩衝材が適所に配置されている。
【００１９】
本体２の後面部２Ｂの下部に、別のスライドファスナＳ３が縫着されている。このスライドファスナＳ３は、本体２をその下部で開閉できるよう本体２の左右方向に亘って、本体２に縫着されている。本体２の後面部２Ｂの上部には、さらに別のスライドファスナＳ４が縫着されている。このスライドファスナＳ４は、本体２内部の上部に配置したポケット６の開閉口となるよう、左右方向を長手方向として本体２に縫着されている。
【００２０】
第一背負いベルト体３は第一上ベルト部７と第一下ベルト部８とを備えている。第一上ベルト部７は使用者（着用者）による本体２の装着状態において使用者の一方の肩部側から胸骨側（使用者の胴体の幅方向中心側）へ向けて斜め下方に延長されよう本体２に取付けられている。第一下ベルト部８は使用者の一方の腹部側（使用者の胴体の一方の横腹側）から胸骨側へ向けて斜め上方に延長されるよう本体２に取付けられている。第一下ベルト部８はその基部の幅が上部の幅に比べて広幅に形成されている。
【００２１】
第一上ベルト部７は、本体２の上部の一方隅部に形成された第一挿通路９を挿通して、本体２内部から本体２の前面部２Ａ側に導出されている。第一下ベルト部８の端部は本体の下部の一方隅部に縫着されている。
【００２２】
第二背負いベルト体４は第二上ベルト部１０と第二下ベルト部１１とを備えている。第二上ベルト部１０は使用者（着用者）による本体２の装着状態において使用者の他方の肩部側から胸骨側へ向けて斜め下方に延長されよう本体２に取付けられている。第二下ベルト部１１は使用者の他方の腹部側から胸骨側へ向けて斜め上方に延長されるよう本体２に取付けられている。第二下ベルト部１１はその基部の幅が上部の幅に比べて広幅に形成されている。
【００２３】
第二上ベルト部１０は、本体２の上部の他方隅部に形成された第二挿通路１２を挿通して、本体２内部から本体２の前面部２Ａ側に導出されている。第二下ベルト部１１の端部は本体の下部の他方隅部に縫着されている。
【００２４】
図３（ａ），（ｂ）に示すように、第一上ベルト部７および第二上ベルト部１０は本体２の内部で一体化されている。すなわち第一上ベルト部７と第二上ベルト部１０を一体化している部分は、本体２の前面部２Ａの裏面側で、下方に向けて湾曲した湾曲部１３によって形成されている。
【００２５】
この湾曲部１３は所定の剛性を有するよう湾曲した薄板状の保形部材１４（例えば合成樹脂板）と、保形部材１４を覆う薄手の連設生地１５とから構成され、第一上ベルト部７および第二上ベルト部１０の各端部は、連設生地１５と一体化するよう縫着されている。
【００２６】
湾曲部１３の上下方向高さを調節することで、第一上ベルト部７および第二上ベルト部１０の導出量を調節する調節手段が設けられている。該調節手段は、面ファスナの組合せによって構成されている。すなわち、連設生地１５（湾曲部１３）は、本体２の前面部２Ａの裏面生地に対して、面ファスナ１６によって着脱自在に構成されている。この面ファスナ１６は挟持用面ファスナ１７と被挟持用面ファスナ１８とから構成されている。
【００２７】
挟持用面ファスナ１７は、係合面どうしを着脱自在に対向させており、ともに上下方向（丈方向）を長手方向とする一方の前側面ファスナ材１９および他方の後側面ファスナ材２０から構成される。被挟持用面ファスナ１８は、連設生地１５の前面および後面の双方の長手方向中心部に取付けられ（貼着され）ている。そして、被挟持用面ファスナ１８が挟持用面ファスナ１７に挟持されることで、湾曲部１３が挟持用面ファスナ１７（本体２）に固定される。
【００２８】
なお、湾曲部１３、挟持用面ファスナ１７は図示しない被覆生地で覆われており、しかも該被覆生地と前面部２Ａとを側部に縫着したスライドファスナで開閉して使用者が手指を挿入して湾曲部１３の高さ調節が操作できるよう構成されている。
【００２９】
第一上ベルト部７の前面部２Ａへの導出部分における下端部と、第一下ベルト部８の上端部とは、第一連結ベルト２１によって連結されている。第一連結ベルト２１は、第一下ベルト部８に取付けられた第一調節具２２によって、上下方向の長さを調節可能に構成されている。
【００３０】
第二上ベルト部１０の前面部２Ａへの導出部分における下端部と、第二下ベルト部１１の上端部とは、第二連結ベルト２３によって連結されている。第二連結ベルト２３は、第二下ベルト部１１に取付けられた第二調節具２４によって、上下方向の長さを調節可能に構成されている。
【００３１】
第一下ベルト部８、第二下ベルト部１１の前面側には、それぞれ第一連結ベルト２１、第二連結ベルト２３の余剰分２１ａ，２３ａを収納するためのポケット２５，２６が形成されている。
【００３２】
第一上ベルト部７の長手方向途中部分は側縁が略平行な帯状に形成され、第一上ベルト部７の下部７Ａは、帯幅に比べて大径に形成され、その縁は円弧状に形成されている。第二上ベルト部１０の長手方向途中部分は側縁が略平行な帯状に形成され、第二上ベルト部１０の下部１０Ａは、帯幅に比べて大径に形成され、その縁は円弧状に形成されている。
【００３３】
図２および図４（ａ），（ｂ）に示すように、第一上ベルト部７の下部７Ａと第二上ベルト部１０の下部１０Ａに、下部７Ａ，１０Ａどうしの少なくとも一部どうしを前後に重ねたうえで、下部７Ａ，１０Ａの幅方向での位置決めを行うためのバックル装置２７が、振り分けて配置されている。バックル装置２７は着脱手段であり、面ファスナ２８とバックル２９を備えて構成されている。バックル装置２７は、第一上ベルト部７の下部７Ａおよび第二上ベルト部１０の下部１０Ａ（第一背負いベルト体３および第二背負いベルト体４）を着脱するための着脱手段としての機能を兼用している。
【００３４】
面ファスナ２８は、係合面どうしを前後に対向させた一方の固定面ファスナ材３０（オス材）および他方の案内面ファスナ材３１（メス材）から構成されている。バックル２９は係脱自在な係止バックル部３２および被係止バックル部３３から構成されている。
【００３５】
面ファスナ２８は、第一上ベルト部７の下部７Ａの側縁間に、幅方向に沿うよう配置されており、一方の固定面ファスナ材３０が第一上ベルト部７の下部７Ａに縫着されている。幅方向に沿うとは、第一上ベルト部７が胸骨側へ向けて斜め下方に延長された状態において、略幅方向に沿う状態を意味する。このように構成することで、固定面ファスナ材３０が所定の幅方向長さに設定されている。
【００３６】
案内面ファスナ材３１は、固定面ファスナ材３０の前側に対向するよう配置され、案内面ファスナ材３１は固定面ファスナ材３０に比べて長く形成されており、しかも案内面ファスナ材３１および固定面ファスナ材３０の左右両側端部（長手方向各端部）位置は略一致して、該左右両側端部は第一上ベルト部７の下部に一体的に縫着されている。
【００３７】
係止バックル部３２は、枠部３４と、枠部３４の一方側と他方側との間にあって枠部３４に一体的に形成された掛部３５とを一体的に備えている。この係止バックル部３２はソケット部材とも称され、枠部３４にソケット部３６が一体に形成されている。
【００３８】
係止バックル部３２の枠部３４は、案内面ファスナ材３１に、移動自在に挿通されている。具体的には、案内面ファスナ材３１は固定面ファスナ材３０に比べて柔軟な生地をベース材としており、枠部３４の一方側の下面側から掛部３５の上面側を乗越えて枠部３４の他方側の下面側に導出されて掛部３５に掛けられることで、係止バックル部３２は案内面ファスナ材３１の長手方向の範囲内で移動自在とされている。案内面ファスナ材３１が固定面ファスナ材３０に比べて長く形成されているのは、上記のようにして係止バックル部３２が挿通されるためである。
【００３９】
被係止バックル部３３はプラグ部材であり、固定用輪ベルト３７が掛けられた基部３８と、基部３８の先端部に形成されたプラグ部３９とから一体的に形成されている。固定用輪ベルト３７の端部は第二上ベルト部１０の下部１０Ａの外側縁に縫着されている。
【００４０】
係止バックル部３２を、案内面ファスナ材３１の最も幅方向中心側へ移動させた状態で係止バックル部３２と被係止バックル部３３を係止すると、第一上ベルト部７の下部７Ａの一部と、第二上ベルト部１０の下部１０Ａの一部とが前後方向で重なる状態となるよう、係止バックル部３２と被係止バックル部３３とが、それぞれ第一上ベルト部７と第二上ベルト部１０に位置付けられるように取付けられている。換言すれば、案内面ファスナ材３１の最も幅方向外側へ移動させた状態で係止バックル部３２と被係止バックル部３３を係止すると、第一上ベルト部７の下部７Ａと、第二上ベルト部１０の下部１０Ａとが前後方向で重なる面積が大きくなる。
【００４１】
上記構成のリュックサック１において、バックル装置２７の係止バックル部３２と被係止バックル部３３を外すと、第一背負いベルト体３と第二背負いベルト体４とはフリーになるので、使用者は第一背負いベルト体３と第二背負いベルト体４のそれぞれと本体２との間に腕を通して、第一背負いベルト体３と第二背負いベルト体４を肩に掛ける。そしてバックル装置２７の係止バックル部３２と被係止バックル部３３とを係止する。このようにすることで、第一背負いベルト体３と第二背負いベルト体４とが一体化する。そして、この実施形態におけるリュックサック１では、バックル装置２７により、使用者の体格に合わせて、あるいは好みに応じて第一背負いベルト体３と第二背負いベルト体４の幅方向での位置調節ができる。
【００４２】
すなわち、リュックサック１を使用者が背負った状態で、第一背負いベルト体３と第二背負いベルト体４とにより締付け感があれば、バックル装置２７の面ファスナ２８、すなわち固定面ファスナ材３０から案内面ファスナ材３１を離脱させ、係止バックル部３２を幅方向中心側へ移動させる。そうすると、第一背負いベルト体３の第一上ベルト部７と第二背負いベルト体４の第二上ベルト部１０の重なり量が小さくなる。すなわち、第一背負いベルト体３と第二背負いベルト体４とが幅方向で離れる方向に移動する。このようにすることで、締付け感を解消することができる。
【００４３】
逆に、リュックサック１を使用者が背負った状態で、第一背負いベルト体３と第二背負いベルト体４が弛緩状態にあれば、バックル装置２７の面ファスナ２８、すなわち固定面ファスナ材３０から案内面ファスナ材３１を離脱させ、係止バックル部３２を幅方向外側へ移動させる。そうすると、第一背負いベルト体３の第一上ベルト部７と第二背負いベルト体４の第二上ベルト部１０の重なり量が大きくなる。すなわち、第一背負いベルト体３と第二背負いベルト体４とが幅方向で近付く方向に移動する。このようにすることで、弛緩状態を解消することができる。なお、被係止バックル部３３は固定用輪ベルト３７で第二背負いベルト体４に固定されているから、被係止バックル部３３での調節をすることはない。
【００４４】
そして、バックル装置２７は、第一上ベルト部７の下部７Ａと第二上ベルト部１０の下部１０Ａとを前後で重ねた状態を維持しつつ、第一上ベルト部７と第二背負いベルト体４の幅方向位置を調節するものである。このため、第一背負いベルト体３と第二背負いベルト体４とが左右方向に離間してしまうことがなく、アジャスト感が得られる。また、バックル装置２７の係止バックル部３２は、第二上ベルト部１０の下部１０Ａの幅方向長さに設定されている固定面ファスナ材３０に係止する案内面ファスナ材３１の長さの範囲で移動させるから、第一上ベルト部７と第二背負いベルト体４の幅方向位置を調節しても、余剰なベルトの発生がなく、したがって、それが邪魔になることもない。
【００４５】
また、第一背負いベルト体３の第一上ベルト部７と第一下ベルト部８は別体であり、第二背負いベルト体４の第二上ベルト部１０と第二下ベルト部１１とは別体であり、それぞれ第一連結ベルト２１、第二連結ベルト２３で連結され、第一調節具２２、第二調節具２４で長さ調節ができる。このため、第一上ベルト部７と第一下ベルト部８の離間距離を変更（調節）し、第二上ベルト部１０と第二下ベルト部１１の離間距離を変更することで、使用者の体格に合わせて、あるいは好みに応じて第一背負いベルト体３、第二背負いベルト体４の長さ調節ができ、リュックサック１をアジャストさせた状態で背負うことができる。
【００４６】
さらに、湾曲部１３の上下方向高さを調節することで、第一上ベルト部７および第二上ベルト部１０の導出量を調節することができる。すなわち、前側面ファスナ材１９を後側面ファスナ材２０から外し、湾曲部１３の上下位置を調節することで、第一上ベルト部７および第二上ベルト部１０の導出量を調節する。これによって、使用者の体格に合わせて、あるいは好みに応じて第一上ベルト部７および第二上ベルト部１０の長さを調節して、第一上ベルト部７の下部７Ａ、第二上ベルト部１０の下部１０Ａの、使用者に対する位置を調節して本体２をアジャストさせることができる。湾曲部１３の上下方向高さは、挟持用面ファスナ１７の長さに応じた分だけ調節可能である。
【００４７】
そして、本発明の実施形態におけるリュックサック１では、第一背負いベルト体３の第一上ベルト部７は使用者による本体２の装着状態において使用者の一方の肩部側から胸骨側へ向けて斜め下方に延長されよう本体２に取付けられ、第一下ベルト部８は使用者の一方の腹部側から胸骨側へ向けて斜め上方に延長されるよう本体２に取付けられている。また、第二背負いベルト体４の第二上ベルト部１０は使用者による本体２の装着状態において使用者の他方の肩部側から胸骨側へ向けて斜め下方に延長されよう本体２に取付けられ、第二下ベルト部１１は使用者の他方の腹部側から胸骨側へ向けて斜め上方に延長されるよう本体２に取付けられている。
【００４８】
このため、バックル装置２７を用いて第一背負いベルト体３および第二背負いベルト体４を一体化させた際でも、第一背負いベルト体３および第二背負いベルト体４が捻られることがなく、第一背負いベルト体３および第二背負いベルト体４がそれぞれ使用者の体表面にフィットすることになり、第一背負いベルト体３および第二背負いベルト体４による違和感が生じたり、装着感の悪さが生じたりすることを効果的抑制することができる。
【００４９】
第一背負いベルト体３および第二背負いベルト体４は上記のように、本体２の左右端部側から幅方向中心に向かって斜めに延びた構成とすることで、特に、リュックサック１を背負って自転車に搭乗する場合では、第一背負いベルト体３および第二背負いベルト体４は、使用者（搭乗者）の胸筋や腹筋を回避した状態となるから、前傾姿勢で自転車に搭乗しても第一背負いベルト体３および第二背負いベルト体４による圧迫感がなく、快適な使用感（装着感）が得られる。
【００５０】
本発明は上記実施形態に限定されず、本発明の主旨を逸脱しない範囲で種々変形が可能である。その他、各部の具体的構成についても上記実施形態に限られるものではない。例えば、上記実施形態では第一上ベルト部７と第二上ベルト部１０の幅方向での位置調節を、被係止バックル部３３側で行うことはない構成とした。しかしながらこの構成に限定されず、被係止バックル部３３を、固定用輪ベルト３７で固定することなく、係止バックル部３２のように、固定面ファスナ材３０と案内面ファスナ材３１との組合せによって幅方向に移動自在に構成することも考えられる。
【００５１】
また、係止バックル部３２は掛部３５が一個のものを用いたがこれに限定されず、掛部３５を二個有するものを用いてもよい。何れにしても案内面ファスナ材３１が掛部３５の上側に巻き掛けられるようにするとともに、枠部３４の左右部分の下側に潜るように構成する。さらに、被係止バックル部３３を案内面ファスナ材３１に移動自在に取付け、係止バックル部３２を固定用輪ベルト３７に取付けてもよい。
【００５２】
上記実施形態では、第一背負いベルト体３は別体の第一上ベルト部７と第一下ベルト部８とから構成し、第二背負いベルト体４は別体の第二上ベルト部１０と第二下ベルト部１１とから構成して、それぞれ第一連結ベルト２１、第二連結ベルト２３で連結する構成とした。しかしながら、第一背負いベルト体３および第二背負いベルト体４は、それぞれ一体の構成であってもよい。この場合では、バックル装置２７の構成を第一背負いベルト体３側と第二背負いベルト体４側とに振り分けて取付け、リュックサック１の装着時には、第一背負いベルト体３と第二背負いベルト体４をバックル装置２７により一体化し、第一背負いベルト体３と第二背負いベルト体４の幅方向での位置を調節するようにする。
【００５３】
何れにしても第一背負いベルト体３の上部は、本体２の上端一側から中心へ向かって下傾斜するよう延長され、下部は本体２の下端一側から中心へ向かって上傾斜するよう延長される。また第二背負いベルト体４は、本体２の上端他側から中心へ向かって下傾斜するよう延長され、下部は本体２の下端他側から中心へ向かって上傾斜するよう延長される。
【００５４】
さらに、上記実施形態のリュックサック１では、複数箇所に面ファスナを設ける構成を説明したが、何れの面ファスナにおいてもオスとメスの組合せ、すなわち係止面と被係止面の組合せは、係止面と被係止面を備えていれば、配置は特定されるものではない。また、面ファスナとしては、一面および一面に係止する他面に、オスとメスの双方を備えた構成のものであってもよい。
【符号の説明】
【００５５】
１…リュックサック、２…本体、３…第一背負いベルト体、４…第二背負いベルト体、５…背負いベルト、７…第一上ベルト部、７Ａ…第一上ベルト部の下部、８…第一下ベルト部、９…第一挿通路、１０…第二上ベルト部、１０Ａ…第二上ベルト部の下部、１１…第二下ベルト部、１２…第二挿通路、１３…湾曲部、１７…挟持用面ファスナ、１８…被挟持用面ファスナ、１９…前側面ファスナ材、２０…後側面ファスナ材、２１…第一連結ベルト、２３…第二連結ベルト、２７…バックル装置、２８…面ファスナ、２９…バックル、３０…固定面ファスナ材、３１…案内面ファスナ材、３２…係止バックル部、３３…被係止バックル部、３４…枠部、３５…掛部、３６…ソケット部、３９…プラグ部
【図１】
2013059548.tif 000003
【図２】
2013059548.tif 000004
【図３】
2013059548.tif 000005
【図４】
2013059548.tif 000006